(57)【要約】【課題】不使用時には分解してコンパクトに収納することができると同時に組立及び搬送容易であり、中長期間の人が居住する場合でも十分な強度と耐久性を備え、しかも、居住するのに最低限必要な設備を備えた組立式簡易住宅を提供する。【解決手段】上面と一方の側面に開口を形成し、三方の側面５と床面９ａ備えた第１の箱体２と、第１の箱体の開口を形成する一方の側面に対向する開口を形成し、上面１２と三方の側面と床面９ｂを備えて配置される第２の箱体６と、第１の箱体２の三方の側面５の上部にそれぞれ配設される側部１７と、これらの側部１７上面の開口に覆設される屋根部３とを有し、第１の箱体２およびの第２の箱体６のそれぞれの床面９ａ，９ｂは枢軸部７を介して連結され、第２の箱体６は、枢軸部７を基軸に第１の箱体２の一方の側面に形成された開口から床面９ａ側に横倒可能に形成されることを特徴とする組立式簡易住宅１による。【選択図】図１
2008184801.tif 000002
【特許請求の範囲】
【請求項１】
上面と一方の側面に開口を形成し、三方の側面と床面を備えた第１の箱体と、前記第１の箱体の開口を形成する一方の側面に対向する開口を形成し、上面と三方の側面と床面を備えて配置される第２の箱体と、前記第１の箱体の三方の側面の上部にそれぞれ配設される側部と、これらの側部上面の開口に覆設される屋根部とを有し、
前記第１の箱体および前記第２の箱体のそれぞれの床面は枢軸部を介して連結され、
前記第２の箱体は、前記枢軸部を基軸に前記第１の箱体の一方の側面に形成された開口から前記床面側に横倒可能に形成されることを特徴とする組立式簡易住宅。
【請求項２】
前記側部と側部は、柱材を介して連結されることを特徴とする請求項１に記載の組立式簡易住宅。
【請求項３】
前記柱材は、その側面に前記柱材の長手方向に平行な溝部を備え、この溝部に前記側部の端部を嵌合させて前記側部を保持することを特徴とする請求項２に記載の組立式簡易住宅。
【請求項４】
前記第２の箱体を、前記枢軸部を基軸に前記第１の箱体の一方の側面に形成された開口から前記床面側に横倒して前記第１の箱体に収容し、第１の箱体の三方の側面上面に前記屋根部を覆設して、略直方体型の第３の箱体を形成し、
前記側部は、前記第３の箱体内に収容されることを特徴とする請求項１に記載の組立式簡易住宅。
【請求項５】
前記第２の箱体を、前記枢軸部を基軸に前記第１の箱体の一方の側面に形成された開口から前記床面側に横倒して前記第１の箱体に収容し、第１の箱体の三方の側面上面に前記屋根部を覆設して、略直方体型の第３の箱体を形成し、
前記側部及び前記柱材は、前記第３の箱体内に収容されることを特徴とする請求項２又は請求項３に記載の組立式簡易住宅。
【請求項６】
前記第２の箱体の側面は出入口を備えることを特徴とする請求項１乃至請求項５のいずれか１項に記載の組立式簡易住宅。
【請求項７】
前記第２の箱体は、その内部に給水設備を備えることを特徴とする請求項１乃至請求項６のいずれか１項に記載の組立式簡易住宅。
【請求項８】
前記第１の箱体と前記第２の箱体とを連結する連結材を備えることを特徴とする請求項１乃至請求項７のいずれか１項に記載の組立式簡易住宅。
【発明の詳細な説明】
【技術分野】
【０００１】
本発明は、コンパクトに収納できると同時に組立容易であり、人が居住するために必要な最低限度の設備を備え、かつ居住が長期間に及ぶ場合でも十分な強度と耐久性とを有する組立式簡易住宅に関する。
【背景技術】
【０００２】
従来、災害が発生した場合、被災者に対して一時的に居住できる仮設住宅を迅速に提供する必要があるのであるが、このような仮設住宅の設置には多量の資材が必要であり、しかも、設置するためには建築施工等に関する専門的な技術を要するため、迅速に対処するのが難しいという課題があった。
このような事情に対処するため、個片に分解して保管することができ、しかも組立容易な建物や、人が居住するために最低限必要な設備を備えた簡易住居に関する発明が開示されている。
【０００３】
例えば特許文献１には、「野営用組立て家屋」という名称で、レジャーや業務に用いられる野営用の組立て家屋に関する発明が開示されている。
特許文献１に記載の発明は、相互に直接係合または間接係合させるための接合部を端面に備えた複数のパネルにより床、壁、及び屋根をなす組立て分解可能な家屋であって、前記家屋の壁および屋根に窓や戸などの機能を有するための設備を前記パネルに持たせたことを特徴とするものである。
上記構成の特許文献１に係る発明によれば、地面の状況の影響を受けることなく設営ができ、風など天候の影響を受けることのない強度を持ち、また、設営の都度、その時々に応じたレイアウト変更が可能な組立て式の家屋を提供できるという効果を有する。
【０００４】
また、特許文献２には、「簡易住宅」という名称で、地震や火災などの災害発生時における緊急避難用の仮設住宅としたり、別荘あるいは治療用や老人の自立用個室などに使用して好適な１ボックス型の簡易住宅（組立て家屋）に関する発明が開示されている。
このような特許文献２に係る発明は、鉄骨構造の躯体により略直方体状に形成され屋内側床面積を１０ｍ2以下とした１ボックス型の簡易住宅であり、この簡易住宅の短辺側に設けた玄関部には手摺りを取付けたデッキを装着し、玄関部の屋内側には玄関土間部を設けて、玄関土間部と対向する短辺側の奥側にベッド５を備えたフリースペースとしての寝室部を設け、さらに、玄関土間部から寝室部に至る通路の両側には、付帯設備としての収納庫、キッチン設備及び浴室設備を配設したことを特徴とするものである。
上記構成の特許文献２に係る発明によれば、トラックなどで設置現場に輸送して設置した後、直ぐに居住することができる機動性が高く、かつ使い勝手のよい簡易住宅を提供できるという効果を有する。
【０００５】
【特許文献１】特開平７−１６６７２９号公報
【特許文献２】特開平１０−１８４０４０号公報
【発明の開示】
【発明が解決しようとする課題】
【０００６】
しかしながら、上述の従来技術である特許文献１に開示される発明は、人が居住するために最低限必要なシャワーやキッチン等に使用可能な給水設備を予め備えたものではないので、実際に人が居住するためには、特許文献１に記載の発明に加えて、給水設備を別途取り付ける必要があり、その取付には専門的な知識が必要なため煩雑であった。
また、特許文献１に開示される「野営用組立て家屋」においては、壁や屋根を構成するパネル同士を直に連結させることができるものの、このようにパネルを接続した場合、壁面の法線方向からの力に対しては十分な強度が期待できない可能性があった。
この結果、特許文献１に開示される「野営用組立て家屋」は、中長期的な居住に適さない可能性が高かった。
【０００７】
また、特許文献２に記載の発明は、本願発明の発明者うちの一人によるものであるが、このような簡易住宅は分解してコンパクトに収納することができないため、非常時に備えて多量に備蓄しようとした場合に嵩張るという課題があった。
また、複数の「簡易住宅」を一時に搬送することが困難であり、多数の被災者に速やかに「簡易住宅」を提供するのは難しいという課題もあった。
【０００８】
本発明はかかる従来の事情に対処してなされたものであり、不使用時には分解してコンパクトに収納することができると同時に組立及び搬送容易であり、中長期間、人が居住する場合でも十分な強度と耐久性を備え、しかも、居住するのに最低限必要な設備を備えた組立式簡易住宅を提供することを目的とする。
【課題を解決するための手段】
【０００９】
上記目的を達成するため、請求項１記載の発明である組立式簡易住宅は、上面と一方の側面に開口を形成し、三方の側面と床面を備えた第１の箱体と、この第１の箱体の開口を形成する一方の側面に対向する開口を形成し、上面と三方の側面と床面を備えて配置される第２の箱体と、第１の箱体の三方の側面の上部にそれぞれ配設される側部と、これらの側部上面の開口に覆設される屋根部とを有し、第１の箱体および第２の箱体のそれぞれの床面は枢軸部を介して連結され、第２の箱体は、枢軸部を基軸に第１の箱体の一方の側面に形成された開口から床面側に横倒可能に形成されることを特徴とするものである。
上記構成の発明において、第１の箱体と、第２の箱体と、側部と、屋根部は、箱状に組み立てられて、人の居住空間を形成するという作用を有する。
また、第１の箱体およびの第２の箱体のそれぞれの床面に設けられる枢軸部は、第２の箱体を第１の箱体の床面側に横倒し可能にするという作用を有する。
【００１０】
請求項２記載の発明である組立式簡易住宅は、請求項１に記載の組立式簡易住宅であって、側部と側部は、柱材を介して連結されることを特徴とするものである。
上記構成の発明は、請求項１に記載の発明と同じ作用に加え、隣接する側部と側部の間に柱材を介設することで、請求項２記載の組立式簡易住宅に軸組み構造を付与して、建物の強度を高めるという作用を有する。
【００１１】
請求項３記載の発明である組立式簡易住宅は、請求項２に記載の組立式簡易住宅であって、柱材は、その側面に柱材の長手方向に平行な溝部を備え、この溝部に側部の端部を嵌合させて側部を保持することを特徴とするものである。
上記構成の発明は、請求項２に記載の発明と同じ作用に加え、柱材の側面に溝部を備えることで、この溝部で側部の端部を保持するという作用を有する。また、この溝部は柱材に側部を着脱可能に取設するという作用を有する。
【００１２】
請求項４記載の発明である組立式簡易住宅は、請求項１に記載の組立式簡易住宅であって、第２の箱体を、枢軸部を基軸に第１の箱体の一方の側面に形成された開口から床面側に横倒して第１の箱体に収容し、第１の箱体の三方の側面上面に屋根部を覆設して、略直方体型の第３の箱体を形成し、側部は、第３の箱体内に収容されることを特徴とするものである。
上記構成の発明において、第１の箱体と、第２の箱体を構成する床面と、屋根部は第３の箱体を形成するという作用を有する。
この結果、請求項１に記載の組立式簡易住宅の外形寸法を小さくするという作用を有する。
また、第３の箱体の内部に側部を収容することで、請求項４記載の発明が占有する空間を小さくするという作用を有する。
【００１３】
請求項５記載の発明である組立式簡易住宅は、請求項２又は請求項３に記載の組立式簡易住宅であって、第２の箱体を、枢軸部を基軸に第１の箱体の一方の側面に形成された開口から床面側に横倒して第１の箱体に収容し、第１の箱体の三方の側面上面に屋根部を覆設して、略直方体型の第３の箱体を形成し、側部及び柱材は、第３の箱体内に収容されることを特徴とするものである。
上記構成の発明は、請求項４に記載の発明において、柱材も第３の箱体の内部に収容可能にしたものであり、請求項４に記載の発明と同じ作用を有する。
【００１４】
請求項６記載の発明である組立式簡易住宅は、請求項１乃至請求項５のいずれか１項に記載の組立式簡易住宅であって、第２の箱体の側面は出入口を備えることを特徴とするものである。
上記構成の発明は、請求項１乃至請求項５のそれぞれの発明と同じ作用に加え、第２の箱体の側面に出入口を備えることで、横倒になった第２の箱体を起立させることで、出入口を使用可能にするという作用を有する。
【００１５】
請求項７記載の発明である組立式簡易住宅は、請求項１乃至請求項６のいずれか１項に記載の立式簡易住宅であって、第２の箱体は、その内部に給水設備を備えることを特徴とするものである。
上記構成の発明において、請求項１乃至請求項６のそれぞれの発明と同じ作用に加え、第２の箱体の内部に給水設備を備えることで、横倒になった第２の箱体を起立させることで、給水設備を使用可能にするという作用を有する。
【００１６】
請求項８記載の発明である組立式簡易住宅は、請求項１乃至請求項７のいずれか１項に記載の組立式簡易住宅であって、第１の箱体と第２の箱体とを連結する連結材を備えることを特徴とするものである。
上記構成は、請求項１乃至請求項７のそれぞれの発明と同じ作用に加え、第１の箱体と第２の箱体とを連結する連結材を備えることで、第２の箱体を構成する床材の下側に支持材を設けることなく、第２の箱体の床面を第１の箱体の床面と略同一平面上に保持させるという作用を有する。
また、請求項８記載の発明である組立式簡易住宅に人が居住した場合でも、第２の箱体を構成する床材の下側に支持材を設けることなく、第２の箱体の床面を第１の箱体の床面と略同一平面上に保持させるという作用を有する。
【発明の効果】
【００１７】
以上説明したように、本発明の請求項１に記載の組立式簡易住宅によれば、人が中長期間居住可能な簡易住宅を提供できるという効果を有する。
また、本発明の請求項１に記載の組立式簡易住宅は、枢軸部を基軸に第２の箱体を第１の箱体の内側の床面側に横倒可能であるため、不使用時に請求項１に記載の発明が占有する体積を１から１／２以下にすることができるという効果を有する。
この結果、居住にするのに十分なスペースを備えた災害時用の簡易住宅を備蓄する際の、簡易住宅の占有スペースを小さくできるという効果を有する。
【００１８】
本発明の請求項２記載の組立式簡易住宅は、請求項１に記載の発明と同様の効果に加え、側部と側部の間に柱材を介設することで、請求項２記載の組立式簡易住宅の強度を高めることができるという効果を有する。
この結果、請求項２記載の組立式簡易住宅に長期間人が居住する場合でも、十分な強度と耐久性を発揮させることができるという効果を有する。
【００１９】
本発明の請求項３記載の組立式簡易住宅は、請求項２に記載の発明と同様の効果に加え、ボルトや釘などの固定部材を用いることなく柱材に側部を取設することができるという効果を有する。
この結果、最低２名の人員で柱材への側部の取設作業を行うことができるので、被災時に少ない人手で迅速に請求項３に記載の組立式簡易住宅を組み立てることができるという効果を有する。
よって、被災時に十分な強度と耐久性を備えた一時的な住居を、迅速に被災者に提供できるという効果を有する。
【００２０】
本発明の請求項４記載の組立式簡易住宅は、請求項１記載の発明と同様の効果に加え、側部を第３の箱体の内部に収容可能とすることで、請求項４記載の組立式簡易住宅の収納時の形状をコンパクトにすると同時に、その運搬を簡易にすることができるという効果を有する。
【００２１】
本発明の請求項５記載の組立式簡易住宅は、請求項４に記載の発明において、柱材も第３の箱体の内部に収容可能にしたものであるため、請求項４記載の発明と同様の効果を有する。
【００２２】
本発明の請求項６記載の組立式簡易住宅は、請求項１乃至請求項５のそれぞれの発明の効果に加え、第１の箱体の内部に横倒になった第２の箱体を回動させて起立させるだけで、請求項６記載の組立式簡易住宅の出入口を使用可能にすることができるという効果を有する。
この結果、請求項６記載の組立式簡易住宅の組立時に、出入口を設置する手間を省くことができるという効果を有する。
従って、建築に関して専門的な知識を有さない人でも、出入口を備えた簡易住宅を組み立てることができるという効果を有する。
【００２３】
本発明の請求項７に記載の組立式簡易住宅は、請求項１乃至請求項６のそれぞれの発明の効果に加え、その組立時に給水設備を設置する手間を省くことができるという効果を有する。
従って、給水設備の取設に関して専門的な知識を有さない人でも、給水設備を備えた簡易住宅を組み立てることができるという効果を有する。
【００２４】
本発明の請求項８記載の組立式簡易住宅は、請求項１乃至請求項６のそれぞれの発明の効果に加え、第１の箱体と第２の箱体とを連結する連結材を備えることで、第２の箱体を構成する床材の下側に支持材を設けることなく、第２の箱体の床面と第１の箱体の床面とを同一平面上に保持させることができるという効果を有する。
この結果、第２の箱体の床面の支持構造を簡素にできるという効果を有する。
【発明を実施するための最良の形態】
【００２５】
本発明の最良の実施の形態に係る組立式簡易住宅について図１及び図７を参照しながら説明する。
【００２６】
図１は本発明の実施の形態に係る組立式簡易住宅の分解時の様子を示す概念図である。
図１に示すように、本実施の形態に係る組立式簡易住宅１は、上面と一方の側面に開口を有する、つまり、三方の側面を構成する壁材５と、床面を構成する床材９ａを備えた第１の箱体２と、この第１の箱体２の側面に形成される開口と対向する位置に開口を有し、上面を構成する天井１２と、三方の側面を構成する壁材１４と、図示されない床材９ｂとを備える第２の箱体６とが枢軸部７を介して連結され、第１の箱体２を構成するそれぞれの壁材５の上面に、側部を構成する壁材１７が配設され、さらに、これらの壁材１７の上面により形成される開口に屋根部３が覆設されたものである。
この屋根部３は、例えば金属製の中空材からなる横架材３ａにより形成された枠体に、被覆材３ｂが覆設されたものである。なお、屋根部３の強度を高めるために、横架材３ａにより形成される枠体の対向する角部を図示しない金属製の線材で連結したり、あるいは、横架材３ａにより形成される枠体の角部に図示しない火打ち材を設けても良い。
また、本実施の形態に係る組立式簡易住宅１においては、枢軸部７を基軸に第２の箱体６を図中の符号Ａで示す方向に傾倒させて、第１の箱体２の内部に収容可能にしている。
よって上述のような、本実施の形態に係る組立式簡易住宅１によれば、不使用時には分解してコンパクトに変形させた状態で収納することができる簡易住宅を提供することができるという効果を有する。
なお、第１の箱体２の内部に確実に第２の箱体６を収容するためには、図１に示すように、第２の箱体６の側面（壁材１４）の幅Ｂは、第１の箱体２の側面を構成する壁材５の高さＣよりも小さいことが望ましい。
【００２７】
また、図１に示すように、本実施の形態に係る組立式簡易住宅１においては、第１の箱体２における壁材５と壁材５の接続部分には柱材４ａを、壁材５と床材９ａの接続部分には横架材４ｂを、また、第２の箱体６における壁材１４と壁材１４のなす角部には柱材１１を、壁材１４と天井１２の成す角部には横架材１３を、壁材１４と図示しない床材９ｂの接続部分には横架材８をそれぞれ介設してもよい。
本実施の形態に係る柱材４ａ、横架材４ｂ、横架材１３、柱材１１、横架材８の材質には、軽量でかつ強度の優れた金属性の中空材を採用しているが、このようなフレーム材の代わりに、木製の角材や、合成樹脂性の中空材を用いてもよい。もちろん、荷重が許せば中実材を用いてもよいことは言うまでもない。
よって、図１に示すように、第１の箱体２と第２の箱体６を、上述のようなフレーム材と、壁材５，床材９ａ，壁材１４，天井１２，床材９ｂのような平面材により構成した場合には、組立式簡易住宅１を住居として使用する際に十分な強度と耐久性を発揮させることができるという効果を有する。
【００２８】
さらに、本実施の形態に係る組立式簡易住宅１においては、壁材５の上面に壁材１７が配設されているのであるが、この壁材１７と壁材１７により形成される角部に柱材１５を、また、壁材１７が複数連結されて平面を構成する場合に、この壁材１７と壁材１７間に柱材１６をそれぞれ介設してもよい。
たとえば、本実施の形態に係る組立式簡易住宅１では、図１に示すように、柱材１５の下端Ｑが、柱材４ａ上端Ｐに連結され、柱材１６の下端Ｒが、壁材５の上面の図中の符号Ｓで示す位置に跨設されている。
【００２９】
ここで、図２を参照しながら柱材１５及び柱材１６の構造について詳細に説明する。
図２（ａ），（ｂ）はいずれも本実施の形態に係る組立式簡易住宅の柱材の構造を示す概念図である。なお、図１に記載されたものと同一部分については同一符号を付し、その構成についての説明は省略する。
図２（ａ）に示すように、本実施の形態に係る柱材１５は、金属製の中空材であるフレーム材４５ａの側面に、断面略コ字型のガイド４７が固設されたものである。
また、上述のような柱材１５は、この柱材１５と同じ構造を有する柱材４ａに着脱可能に連結させるために、柱材４ａの下端Ｑに、フレーム材４５ｂの内径と略同一の外径を有する挿入部４８を備えている。
このため、柱材４ａの上端Ｐに柱材１５の挿入部４８を挿入し、フレーム材４５ｂと挿入部４８の重なり部分に連穿される孔４９，５０に固定ピン５１を挿入することで、柱材４ａに柱材１５を固定することができるという効果を有する。
なお、図２（ａ）には柱材１５の下端Ｑに挿入部４８を設けた場合を例にあげて説明しているが、挿入部４８は柱材４ａの上端Ｐに設けても良い。この場合、柱材１５や柱材４ａの中空部への雨水の流入を妨げることができるという効果を期待できる。
また、この時、孔４９，５０に固定ピン５１を螺設した場合には、一層強固に柱材４ａと柱材１５を連結することができるという効果が期待できる。
そして、柱材１５の側面に固設されるガイド４７の溝部４６に壁材１７の端部を嵌合させることで、柱材１５に壁材１７を容易に設置することができる。あるいは、柱材１５の上面側から溝部４６に壁材１７の端部を落とし込んでも良い。
なお、本実施の形態に係る柱材１５においては、溝部４６を設けるために、フレーム材４５ａの側面に断面コ字状のガイド４７を固設しているが、フレーム材４５ａの代わりに、例えば、角材を用いる場合には、この角材の側面に直接溝部４６を切削形成してもよい。この場合、断面コ字状のガイド４７を設けた場合と同様の効果が期待できる。
あるいは、柱材１５を構成する角材に図２（ａ）に示すようなガイド４７を取り付けてもよい。この場合、柱材１５の製造に係る手間を軽減できるという効果を有する。
なお、柱材１５と柱材４ａの接続部分に、弾性体等からなるパッキンを設けるなどして水密構造を付与した場合には、柱材４ａの内部に雨水が流入するのを一層効果的に防止することができるという効果を有する。従って、柱材１５や柱材４ａが雨水により腐食して劣化するのを防止することができるという効果を有する。この結果、本実施の形態に係る組立式簡易住宅１の耐久性を一層高めることができるという効果が期待できる。
もちろん上述のような弾性体等からなるパッキンを用いた水密構造は、組立式簡易住宅１における柱材４ａ，１５，１６，１１や横架材４ｂ，８，１３，３ａと、壁材５，１４，１７との接続部分に設けても良い。この場合も、組立式簡易住宅１の内部への雨水の流入を防止することができ、組立式簡易住宅１により形成される住空間を快適にすることができる。また、雨水の侵入による組立式簡易住宅１の劣化を防止して、組立式簡易住宅１の耐久性を一層高めることができるという効果が期待できる。
【００３０】
また、図１に示すように、本実施の形態に係る組立式簡易住宅１に係る側部を複数の壁材１７により構成してもよい。
この場合、壁材１７と壁材１７を直に連結すると、組立式簡易住宅１の側壁における強度が著しく損なわれてしまい、この結果、人が中長期間居住するために必要な強度が発揮されない可能性がある。
そこで、本実施の形態に係る組立式簡易住宅１では、側部を複数の壁材１７により構成する際に、側部の強度を高める目的で壁材１７と壁材１７の間に柱材１６を介設している。
このような柱材１６は、図２（ｂ）に示すように、角筒状の中空材からなるフレーム材４５ｃの対向する２つの側面のそれぞれに、平板材５２ａ，５２ｂを貼設したものであり、フレーム材４５ｃの下端よりも平板材５２ａ，５２ｂの下端を長くしている。
このように、フレーム材４５ｃの下端よりも平板材５２ａ，５２ｂの下端を長くすることで、第１の箱体２の壁材５の上面に柱材１６を設置する際に、平板材５２ａ，５２ｂにより壁材５が挟持されて、壁材５の上面にフレーム材４５ｃを垂直に起立させることができるという効果を有する。
また、柱材１６には平板材５２ａ，５２ｂとフレーム材４５ｃの側面により、溝部４６が形成されるため、この溝部４６に壁材１７の端部を嵌合させることで壁材１７を柱材１６に取設することができるという効果を有する。
なお、フレーム材４５ｃについても、上述のフレーム材４５ａの場合と同様に、木質製の角材や合成樹脂性の中空材を用いることが可能であり、この場合、フレーム材４５ｃに平板材５２ａ，５２ｂを釘やビス等を用いて容易に固定することができるので、柱材１６の作製にかかる手間を軽減できるという効果を有する。
あるいは、角材から成るフレーム材４５ｃを切削して溝部４６を直接形成し、壁材５との接続部分に挟持部材を設けた構成にした場合も同様の効果が期待できる。
なお、図１及び図２に示す組立式簡易住宅１においては、柱材１５，１６の溝部４６に嵌合させる壁材１７が平板状である場合を例に挙げて説明しているが、壁材１７は必ずしも平板状である必要はなく、例えば野地板等のような長板を積層するように溝部４６に嵌設して側部を形成してもよい。この場合も、人が中長期間居住するのに十分な強度を備えた組立式簡易住宅１を提供することができるという効果を有する。また、柱材１６においては、強度を十分に与えることが可能であれば、柱材１５と同様に、例えば壁材５に中空のフレーム材を埋め込み、その上端に柱材１６の下部に挿入部を設けて挿入し、フレーム材と挿入部の重なり部分に孔を連穿して固定ピンを挿入することで、フレーム材と柱材１６を固定するようにしてもよい。
【００３１】
よって、図１に示すように、本実施の形態に係る組立式簡易住宅１においては、壁材１７のなす角部に、図２（ａ）に示すような柱材１５を設けることで、第１の箱体２を構成する柱材４ａや横架材４ｂと、屋根部３に設けられる横架材３ａとを連結することができ、この結果、軸組み構造が形成されることになる。
従って、本実施の形態に係る組立式簡易住宅１は、軸組み構造を有する建物となり、その強度が一層高められるのである。
さらに、本実施の形態に係る組立式簡易住宅１の側部を、複数の壁材１７により形成した場合には、組立式簡易住宅１を収納する際に、第１の箱体２の内部に壁材１７を容易に収容することができるという効果が発揮される。
この結果、組立式簡易住宅１を搬送する際の部品の紛失や損傷を防止できるという効果を有する。
そして、特に、組立式簡易住宅１に係る側部を複数の壁材１７により構成する場合に、壁材１７と壁材１７の接続部分に柱材１６を介設することで、組立式簡易住宅１の側部の強度を一層高めることができるという効果が発揮されるのである。
【００３２】
次に、本実施の形態に係る組立式簡易住宅を収納した場合について図３及び図４を参照しながら詳細に説明する。
先の図１に示すように、本実施の形態に係る組立式簡易住宅１においては、枢軸部７を基軸に第２の箱体６を図中の符号Ａで示す方向へ回動させて第１の箱体２の内側に横倒しにすることが可能である。
この時、図３に示すように、第１の箱体２の側面に設けられる開口に、第２の箱体６の床材９ｂが配置されて、略直方体型の箱体が形成される。さらに、第１の箱体２の上面の開口に屋根部３を覆設することで、本実施の形態に係る組立式簡易住宅１の外形寸法を組立時の１／２以下にすることができるのである。この組立式簡易住宅１の外形寸法の縮小率は、壁材５と、壁材５及び壁材１７の寸法によるものである。従って、１／２以下はもちろんのこと、壁材５の寸法を調整すれば、１より小さな値で、任意の縮小率にすることができる。もちろん、その前提として図３に示されるような箱体２の内部に柱材や壁材、さらには住宅に用いられる部材が収納されることが必要である。このことは、その他の実施例においても同様である。
この場合、屋根部３の下面側に配設される横架材３ａの四隅に、柱材４ａの上端Ｐに挿入可能な挿入部４８（図１を参照）を設けておき、さらに、この挿入部４８に柱材４ａの孔５０と符号する位置に孔４９（図示せず）を形成しておくことで、固定ピン５１により屋根部３を柱材４ａに固定することができる。
なお、上述のような挿入部４８を柱材４ａの上端Ｐに設けた場合には、横架材３ａの四隅に挿入部４８を挿入するための孔を設けておけばよい。
また、第１の箱体２に柱材４ａを設けない場合には、すなわち、第１の箱体２を壁材５のみで構成する場合には、上述のような連結構造に代えて、屋根部３に予め掛着具を設けるなどして第１の箱体２に着脱可能に固定してもよい。
従って、本実施の形態に係る組立式簡易住宅１は、第１の箱体２と、第２の箱体６の床材９ｂと、屋根部３により構成される第３の箱体２９に変形することで、組立式簡易住宅１を組み立てた場合に比べてその体積を１／２以下にすることができるという効果を有する。
【００３３】
このように、本実施の形態に係る組立式簡易住宅１を第３の箱体２９に変形させた場合、組立式簡易住宅１を大量に生産して備蓄する際の占有体積（嵩）を小さくすることができるだけでなく、本実施の形態に係る組立式簡易住宅１を、例えば、４ｔ車を用いて搬送する場合には、２段重ねにして搬送することができ、この結果、効率的に組立式簡易住宅１を搬送することができるという効果を有する。
また、図３に示すように、屋根部３の四隅近傍に突部１０を設け、さらに、第１の箱体２を構成する略矩形状の横架材４ｂの下面に、突部１０の設置位置と符号する位置に窪部２１を設けることで、第３の箱体２９に変形させた組立式簡易住宅１の屋根部３の上面側に、第３の箱体２９に変形させた組立式簡易住宅１を多段に積み重ねることができると同時に、組立式簡易住宅１同士を着脱可能に固定することができるという効果を有する。
この場合、組立式簡易住宅１を大量に備蓄する際の占有スペースを一層小さくすることができるという効果が発揮される。
また、本実施の形態に係る組立式簡易住宅１においては、略直方体状の第３の箱体２９に変形させることで、第３の箱体２９の内部に、人が居住する際に最低限必要な設備を予め収容しておくことができるという効果を有する。
さらに、本実施の形態に係る組立式簡易住宅１においては、第１の箱体２を構成するそれぞれの側壁を、一枚の壁材５により構成しているが、この壁材５を、その長さ方向と平行に複数に分割してもよいし、その高さ方向と平行に複数に分割しても良い。いずれの場合も、壁材５を１枚のパネル材で構成した場合と同様の効果が期待できる。
【００３４】
図４は本発明の実施の形態に係る第３の箱体内に室内に設置する設備を収容した際の内部の様子を示す平面図である。なお、図１乃至図３に記載されたものと同一部分については同一符号を付し、その構成についての説明は省略する。また、図４において、第３の箱体２９の内部の様子が理解され易いよう、出入口を備えた第２の箱体６の側面の記載は省略した。
図４に示すように、第３の箱体２９の内部において、第２の箱体６の内側には、すなわち、図４の紙面左下部分には、組立式簡易住宅１の側部を構成する１０枚の壁材１７が収納され、その上に２本の柱材１６と４本の柱材１５が収納されている。
また、第２の箱体６の中央部分、すなわち、図４の紙面中央部分には、組立式簡易住宅１の内部空間を仕切るための、間仕切りパネル３０ａ〜３０ｄや庇２５が収納され、その右横には、就寝用スペースの床面を形成するベッド３２ａ〜３２ｄが収納されている。さらに、ベッド３２ａ〜３２ｄの上には、シャワールームとなる床面を他の床面とを分離するための防水パン３８及び、レンジフード３４とコンロ台３５、及び組立式簡易住宅１の室内に系止させて使用するテーブル３３が収納されている。
さらに、第３の箱体２９の内部において、第２の箱体６の外には、すなわち、図４中の紙面上部には、吊戸棚３７や消火器４３、１槽シンク３１や、水回り用品や時計が収容され、収納用の箱としても利用可能な収納箱４１ａ，４１ｂが収納され、１槽シンク３１の内部には換気扇４０や外灯４２等の小型の設備が、また、収納箱４１ａ，４１ｂの上にはポータブルトイレ３９やカーテンレールを備えたシャワーカーテン３６が収容されている。
そして、第２の箱体６の天井１２の近傍には、天井１２と屋根部３の隙間部分を被覆するための被覆材５６が収容されている。
さらに、第２の箱体６において、出入口を備える側面の上面側に、空きスペースが形成される場合には、この部分に、物干し竿５７を収納しておいても良い。
なお、図４には示さないが、第２の箱体６の内側において、シャワー室の壁面には給水設備（給湯設備）を、また、台所を形成す壁面には１槽シンク３１に水を供給するための別の給水設備を予め設置しておいてもよい。
より具体的には、上述の給水設備とは、例えば、浴室に設けられるシャワーやキッチンに設けられる蛇口に、水又は湯を供給するための電動式ポンプと、このような電動式ポンプに電力を供給するためのバッテリーとにより構成されるものである。
なお、本実施の形態に係る組立式簡易住宅１においては、上述のようなバッテリーから、屋根部３の下面側に着脱可能にあるいは固設される照明や換気扇４０、レンジフード３４に電力が供給されるよう構成されているので、組立式簡易住宅１に設置される電化製品に効率よく電力を分配して作動させることができるという効果を有する。
また、この場合、組立式簡易住宅１を組立てる際に上述のような給水設備を別途設置する手間を省くことができるという効果を有する。よって、給水設備の取付けに関して特殊な技能を有さない人でも、容易に本実施の形態に係る組立式簡易住宅１を組み立てて居住可能にすることができるという効果を有する。
さらに、第３の箱体２９の内部において、図４に示さない出入口１８を備える第２の箱体６の側面上に、屋根部３の上面側に収容可能な太陽光発電用のソーラーパネルを予め収容しておいても良い。この場合、ソーラーパネルにより発電された電力を上述の給水設備を作動させるためのバッテリーに供給するようソーラーパネルとバッテリーを接続して構成することで、災害等により外部の電力供給設備が機能しない場合でも、組立式簡易住宅１に設置される電化製品を作動させることができるという効果を有する。この結果、災害発生時等の非常時に居住者に快適な住空間を提供することができるという効果を有する。
なお、太陽光発電用のソーラーパネルは、屋根部３以外に組立式簡易住宅１の壁材１４，１７，５や天井１２、あるいは、地表面上の任意の場所に設置可能としてもよく、さらに、これらの複数個所にソーラーパネル設置可能に構成してもよい。このとき、ソーラーパネルの取付角度を調整可能に構成してもよい。
特に、ソーラーパネルの設置位置を選択可能に構成した場合や、ソーラーパネルの取付角度を調整可能とした場合には、ソーラーパネルの発電効率を高めることができるという効果を有する。また、組立式簡易住宅１の複数個所にソーラーパネルを設置した場合には、ソーラーパネルの発電量を増加させることができるという効果を有する。
【００３５】
上述のように、室内に設置する設備を収容した第３の箱体２９を組み立てて居住可能にする手順を図１、図３、図４を参照しながら説明する。
まず、図３に示す第３の箱体２９からユニック等を利用して屋根部３を吊り上げて取外し、第２の箱体６の出入口１８を備える側面上にソーラーパネルが収容されている場合には、このソーラーパネルを取り出しておく。
この後、第３の箱体２９の中から、第２の箱体６の天井１２と壁材５の間に収容される設備を取り出してから、再びユニック等を用いて、第１の箱体２内に横倒しになっている第２の箱体６を引き起こして起立させ、第１の箱体２内に収納される壁材１７や間仕切りパネル３０ａ〜３０ｄ等の設備を第３の箱体２９の外に取り出す。
この時、図１に示すように、第２の箱体６は組立式簡易住宅１の側面に設けられる開口と対向する位置に、起立した状態で配置される。
また、第２の箱体６の側面を構成する壁材１４には出入口１８や窓１９ａ，１９ｂ、及び、給水設備が予め設けられているので、第２の箱体６を引き起こすだけで、出入口１８や窓１９ａ，１９ｂ、及び、給水設備を使用可能にできる上、組立式簡易住宅１の組立時に出入口１８や窓１９ａ，１９ｂ、及び、給水設備を取り付ける手間を省くことができるという効果を有する。
よって、本実施の形態に係る組立式簡易住宅１を速やかに居住可能にすることができるという優れた効果が発揮されるのである。
【００３６】
次の段階として、第１の箱体２の柱材４ａの上端Ｐに、第３の箱体２９から取り出した４本の柱材１５の下端Ｑを連結し、さらに、この柱材１５の図示しない溝部４６に、やはり、第３の箱体２９から取り出した壁材１７の端部を嵌合させて組立式簡易住宅１の側部を形成する。
この後に、略同一平面上に配置された壁材１７と壁材１７の間に、壁材１７の上面側から柱材１６を落とし込んで柱材１６の下端Ｒで壁材５を挟持して柱材１６を設置する。
なお、壁材１７と柱材１６の設置の順序は逆でも良い。つまり、先に柱材１６を壁材５の上面に跨設しておき、その後、柱材１５と柱材１６に設けられる溝部４６に壁材１７を落とし込んでも良い。
また、特に図示しないが、壁材５と壁材１７の接触部分及び、１７と壁材１７の接触部分を嵌合構造とし、その間に、ゴムや合成樹脂製等のパッキンを介設してもよい。この場合、組立式簡易住宅１を住居として使用する際に、室内に外からの隙間風や雨水が入るのを防止することができるという効果が期待できる。
さらに、図１に示すように、組立式簡易住宅１の側部を形成する壁材１７に予め窓１９ｃや１９ｄを取り付けておいてもよい。この場合、組立式簡易住宅１を組み立てる際に、窓を取り付ける作業を省略できるだけでなく、窓の取付に関する技術を有さない人でも容易に組立式簡易住宅１を居住可能に組み立てることができるという効果を期待できる。
また、柱材１５や柱材１６への壁材１７の設置を、図２に示すような溝部４６と壁材１７の端部の嵌合により行うことで、最低２名の人員があれば容易に組立式簡易住宅１を組み立てることができるという優れた効果が発揮される。従って、避難者等の簡易建物を必要としている人に対して速やかに居住空間を提供できるという効果が期待できる。
また、壁材１７に予め通気孔２０を設けておいてもよい。この場合、本実施の形態に係る組立式簡易住宅１を住居として使用する際に、空調設備を容易に設置することができるという効果が期待できる。
【００３７】
続く段階として、ユニック等を用いて先に取外しておいた屋根部３を吊り上げて、屋根部３の下面側に設けられる挿入部４８の下端部Ｕのそれぞれを、柱材１５の上端Ｔのそれぞれに挿入して、最上段に配設される壁材１７の上面により形成される開口に屋根部３を覆設すればよい。
なお、屋根部３の下面側に設けられる矩形状の横架材３ａの下面に、窪部２２を予め設けておき、この窪部２２に柱材１６の上端Ｖを挿入できるよう構成してもよい。この場合、本実施の形態に係る組立式簡易住宅１における側部（壁材１７，柱材１５，１６により形成される組立式簡易住宅１の側壁）と、屋根部３との接続をより強固にすることができるという効果を有する。
さらに、屋根部３の挿入部４８と柱材１５の上端Ｔの重なり部分に、図示しない連穿孔を設けておき、例えば、図２に示すような固定ピン５１を挿入した場合には、屋根部３と組立式簡易住宅１の側部の接続を一層強固にすることができる。
また、柱材１５は、柱材１６と屋根部３の横架材３ａの重なり部分にも固定ピン５１設けても良い。この場合、上述の効果を一層促進することができる。
他方、本実施の形態に係る組立式簡易住宅１において、柱材１５を設けない場合には、壁材１７のみ、あるいは、壁材１７及び柱材１６により構成される側部に屋根部３を直接覆設する必要があるのであるが、この場合、屋根部３を組立式簡易住宅１の側部に掛着具又はボルト等を用いて確実に固定しておくことが望ましい。
最終段階として、第３の箱体２９の内部から取り出しておいたソーラーパネル（図示せず）を屋根部３や、壁材１４，１７，５又は天井１２、あるいは、地表面上の任意の場所に設置すればよい。なお、組立式簡易住宅１とその近傍において、日当たりが特に良好な複数個所にソーラーパネルを設置することが望ましい。
【００３８】
図５は本発明の実施の形態に係る組立式簡易住宅の完成時の外観図である。なお、図１乃至図４に記載されたものと同一部分については同一符号を付し、その構成についての説明は省略する。また、発電用のソーラーパネルの記載は省略した。
図５に示すように、本実施の形態に係る組立式簡易住宅１において横架材４ｂにより形成される枠体の四隅に、あるいは、横架材４ｂを設けない場合には、第１の箱体２の図示しない床材９ａの四隅に、組立式簡易住宅１を地表面から離間させた状態で支持するための支持部２６を設けても良い。このような支持部２６も図４に示す第３の箱体２９内に予め収容しておくとよい。この場合、床材９ａ，９ｂを地表面から離間することで、降雨時に雨水の流入を防止することができるという効果を有する。
そして、このような支持部２６としては、従来公知の床束を用いても良いし、あるいは、図５に示すような車輪２７を備えた支持部２６を設けてもよい。この場合、組立後の組立式簡易住宅１を容易に移動させることができるという効果を有する。
また、支持部２６は、その長さを自在に調節可能な高さ調整部２８を備えてもよい。この場合、平坦でない地表面に組立式簡易住宅１を設置する場合に、第１の箱体２の床面を略水平に調節することができるという効果を有する。この結果、組立式簡易住宅１における居住を快適にすることができるという効果が発揮される。
あるいは、支持部２６には車輪２７と高さ調整部２８の両方を備えてもよく、この場合、上述のそれぞれの効果を合わせた効果が期待できる。
【００３９】
さらに、図５に示すように、本実施の形態に係る組立式簡易住宅１の側壁には、例えば、金属製の線材からなる筋交い２４を少なくとも１つ設けることが望ましい。この場合、筋交い２４が、柱材４ａ，横架材４ｂ，柱材１５，横架材３ａ（図示せず）からなるフレーム材の軸組み構造を補強するので組立式簡易住宅１の強度を一層高めることができるという効果を有する。
また、本実施の形態に係る組立式簡易住宅１においては、第１の箱体２と第２の箱体６を連結する連結材２３を設けても良い。
この場合、連結材２３により、第２の箱体６及びその内部に収容される設備の荷重が支えられるので、第２の箱体６の図示しない床材９ｂに支持部２６を設けることなく、第２の箱体６の床材９ｂを第１の箱体２の床材９ａと略同一平面上に保持することができるという効果が期待できる。
この結果、本実施の形態に係る組立式簡易住宅１にかかる構成材料を少なくできるという効果を有する。
そして、出入口１８の上部には、第３の箱体２９に収容されていた庇２５が、さらに、庇２５の内側には、やはり、第３の箱体２９内に収容され図示しない外灯４２を設置してもよい。
また、屋根部３と天井１２の段差により形成される隙間に第３の箱体２９内に予め収容しておいた被覆材５６を設けることで、この部分から雨水が居住空間に浸入するのを防止することができるという効果が期待できる。
また、組立式簡易住宅１の壁材１７の屋外側に配置される面の２ヶ所に、物干し受６２を予め設けておいても、あるいは、組立式簡易住宅１の組立後に物干し受６２を取り付けてもよい。このような物干し受６２は、たとえば、物干し受６２の下端を基軸に壁材１７の表面から離れる方向に回動するよう、つまり、図中の符号Ｄで示す方向に回動するように取り付けてもよく、この場合、物干し受６２の上面側に図示しない物干し竿５７を掛渡すことができるので、組立式簡易住宅１に居住する際に洗濯物を干せて便利である。
なお、物干し受６２は、柱材１５や柱材１６の屋外側に配置される面に予め設置しておいても、あるいは、組立式簡易住宅１の組立後に柱材１５や柱材１６の屋外側に取付けてもよい。
なお、本実施の形態に係る組立式簡易住宅１においては、建物自体の美観を考慮して、第２の箱体６の側壁を複数の壁材１４により構成しているが、第２の箱体６を構成する３つの側面は、分解されずにそのまま第１の箱体２の内側に収容されるので、それぞれを１枚の壁材１４により構成してもよい。この場合、組立式簡易住宅１を構成する部材を少なくすることができるという効果を期待できる。
【００４０】
また、図５に示すように、屋根部３の被覆材の切断面に軒樋６０を備えた帯板５９を覆設してもよい。なお、図５では、屋根部３の被覆材の一方の断面にのみ帯板５９を設けた場合を例に挙げて説明しているが、この切断面に対向する他の切断面にも帯板５９を設けることが望ましい。なお、この場合、軒樋６０は２枚の帯板５９のうちの少なくとも一方に設けられていれば良い。
このように、帯板５９を設けた場合、帯板５９の軒樋６０の端部のいずれかに雨水を導出するための導出管６１を連結することで、屋根部３の上面に降った雨水を軒樋６０へと流出させることができ、さらに、軒樋６０に集められた雨水を導出管６１を通じて図５中の符号Ｅで示す方向に速やかに排出することができるという効果を有する。
あるいは、導出管６１に図示しないホース等の中空管を接続し、この中空管の下側開口に貯水タンクを設置した場合には、屋根部３により捕捉された雨水を貯留しておくことができるという効果を有する。
この場合、災害等で水が不足した場合に、屋根部３において補足した雨水を組立式簡易住宅１における生活用水として有効に活用することができるという優れた効果が期待できる。
この後、最終段階として、図５に示すように組み立てられた組立式簡易住宅１の内部に、第３の箱体２９から取り出した室内用の設備を設置すればよい。
【００４１】
図６は本発明の実施の形態に係る組立式簡易住宅の完成時の内部の様子を示す見取図である。なお、図１乃至図５に記載されたものと同一部分については同一符号を付し、その構成についての説明は省略する。
図３，図４に示すような、第３の箱体２９に収容されていた内装用設備を所定の位置に設置した場合の本実施の形態に係る組立式簡易住宅１の内部構造は図６に示すとおりである。
図６に示すように、出入口１８を備える第２の箱体６の側壁の内側には、先にも述べたように給水設備４４ａ，４４ｂが予め設置されているので、この側面近傍をシャワールームやキッチンとして利用することができる。
より、具体的には、本実施の形態に係る組立式簡易住宅１において出入口１８から組立式簡易住宅１の内部に入った場合に、右手側にはキッチンが設けられており、壁材１４に予め設置される給水設備４４ｂの隣には、給水設備４４ｂから供給される水で炊事等を行うことができるよう１槽シンク３１が設けられている。
なお、この１槽シンク３１の下側には、図示しないが、給水設備４４ａ,４４ｂのシャワーや蛇口に水又は湯を供給するための電動ポンプと、この電動ポンプを作動させると同時に、組立式簡易住宅１の室内に設置される照明具や換気扇４０、レンジフード３４等、組立式簡易住宅１において居住するのに最低限必要な電化製品に電力を供給するためのバッテリーが収納されている。そして、このバッテリーは、屋外のソーラーパネルにおいて発電された電力が送給されるようソーラーパネルと接続してもよい。
このため、たとえば、被災地において外部の電力の供給設備が機能しない場合でも、組立式簡易住宅１において生活にするにあたり最低限必要な電化製品を、すなわち、給水設備給水設備４４ａ，４４ｂ、照明具、レンジフード３４，換気扇４０を使用することができるという効果を有する。この結果、非常時においても組立式簡易住宅１により快適な住空間を提供できるという効果を有する。
また、この１槽シンク３１の下側には給水設備４４ａ，４４ｂに水を供給するための貯水タンクが収容されており、この貯水タンクに水を供給するだけで、外部の給水設備が機能しない場合でも給水設備４４ａ，４４ｂを使用することができるという効果を有する。よって、外部の給水設備が機能しない場合でも組立式簡易住宅１においてシャワールームやキッチンを使用することができるという優れた効果を有する。
また、この１槽シンク３１の真上には吊戸棚３７が設置されており、調理道具等が収納可能になっている。
【００４２】
さらに、吊戸棚３７の上側の壁材１４に、組立式簡易住宅１の外部から電力を取り込むためのブレーカー６３を予め設置しておいてもよい。
この場合、組立式簡易住宅１の外部から電力を取り込める場合や、被災地において電力供給設備が復旧した場合には、外部から供給される電力を、ブレーカー６３を介して組立式簡易住宅１に取り込むことができるという効果を有する。このため、組立式簡易住宅１の室内に設置される電化製品を外部電力により作動させることができるという効果を有する。
この結果、１槽シンク３１の下側に設置されるバッテリーの容量や、組立式簡易住宅１の外部に設置されるソーラーパネルの発電量に制限されることなく組立式簡易住宅１に設置される電化製品を使用できるという効果を有する。さらに、組立式簡易住宅１における中長期間の居住に際し、組立式簡易住宅１に洗濯機やエアコン等の空調設備を別途設置する場合には、外部電力によりこれらを作動させることができるという効果が期待できる。
従って、たとえば被災直後で電力供給設備が全く機能しない被災地等に本実施の形態に係る組立式簡易住宅１を設置した場合には、ソーラーパネルにより発電される電力により給水設備や照明具等の生活に最低限必要な電化製品を作動させて、被災者に快適な居住空間を提供することができるという効果を有する。
その後、外部の電力供給設備が復旧した場合には、ブレーカー６３を介して外部電力を取り込むことにより、比較的消費電力が大きい洗濯機や空調設備等を作動させることができるという効果を有する。
つまり、第２の箱体６の壁材１４に設けられるブレーカー６３は、本実施の形態に係る組立式簡易住宅１と外部のライフラインとの接続を可能にし、本実施の形態に係る組立式簡易住宅１を一時的な避難設備としてだけでなく、人が中長期間居住するための仮設住宅としても使用可能にするという優れた効果を有するのである。
また１槽シンク３１の端部と間仕切りパネル３０ｄの間にはコンロ台３５が掛渡され、その真上にレンジフード３４が設置されるので、コンロ台３５の上で加熱調理器を使用することができる。
【００４３】
また、出入口１８から内部に入って左手側の壁材１４には、シャワーを備えた給水設備４４ａが予め設けられているので、この床面に防水パン３８を敷設し、さらに出入口１８の側面と間仕切りパネル３０ｂとの間に、カーテンレールを備えたシャワーカーテン３６を掛架することで、この空間をシャワールームとして利用することができる。
さらに、このシャワールームの奥には３枚の間仕切りパネル３０ａ〜３０ｃにより仕切られた矩形状の空間が形成され、また、第２の箱体６と第１の箱体２の境界部分に設置される間仕切りパネル３０ｂには、この矩形状の空間への出入口が設けられおり、この矩形状の空間に第３の箱体２９に収容されるポータブルトイレ３９及び換気扇４０を設置することでトイレとして使用することができる。
そして、このトイレとキッチンのさらに奥には、間仕切りパネル３０ａ，３０ｄと窓１９ｄを備える壁材１７の間に、就寝用の床面を形成するベッド３２ａ〜３２ｄが２段ずつ掛架されており、居間兼寝室として使用可能になっている。
また、この居間兼寝室の中央部壁側には、第１の箱体２の側面を構成する壁材５に端部を掛着させて使用するテーブル３３が設けられており、ベッド３２ａ，３２ｃを腰掛として使用できるよう構成されている。また、ベッド３２ａ，３２ｃの下面側は、収納スペースとして利用することができ、時計や水回り品が収納された収納箱４１ａ，４１ｂが収納されている。
従って、本実施の形態に係る組立式簡易住宅１によれば、最大４名の人員に対して、シャワールームやキッチン、トイレや居間兼寝室といった生活するのに最低限必要な設備を備えた居住空間を迅速に提供することができるという優れた効果を有する。また、ベッド３２ａ〜３２ｄは、間仕切りパネル３０ａ及び３０ｄを補強する補強部材としても機能するため、組立式簡易住宅１の内部における間仕切りパネル３０ａ〜３０ｄの転倒を防止するという効果も有する。
【００４４】
最後に、図７を参照しながら本実施の形態に係る組立式簡易住宅の床材の構造について説明する。
図７は本発明の実施の形態に係る組立式簡易住宅の床面の構造の一例を示す概念図である。なお、図１乃至図６に記載されたものと同一部分については同一符号を付し、その構成についての説明は省略する。
図５にも示すように、本実施の形態に係る組立式簡易住宅１では、床材９ａの下面側に設けられる４本の支持部２６でその荷重のすべてを支えている。
このため、第１の箱体２及び第２の箱体６を構成する床材９ａ，９ｂは、それのみで第１の箱体２や第２の箱体６に収容される設備の荷重、及び、組立式簡易住宅１において生活する人の体重を支えられる必要がある。
そこで、本実施の形態に係る組立式簡易住宅１においては、床材９ａ，９ｂに図７で示すような構造を採用している。
図７に示すように、本実施の形態に係る床材９ａ，９ｂは、主に面状構造体５３と、この面状構造体５３に垂設される複数の平板材５５により構成されるものであり、より具体的には、平板部５３ａの上面側にフィン状に突設される突状帯５３ｂ，５３ｂ,…の上面側に平板材５５が覆設されたものである。
また、面状構造体５３を構成する平板部５３ａ及び突状帯５３ｂの内部断面には、多数の空隙５３ｃが形成されている。
このように、本実施の形態に係る組立式簡易住宅１の床面に、平板部５３ａと突状帯５３ｂを有する面状構造体５３と平板材５５を組み合せた床材９ａ，９ｂを敷設した場合、平板材５５の上面側から作用する荷重を突状帯５３ｂと平板部５３ａの２種類の構成により支持することができるので、平板材５５のみを床面に敷設した場合に比べて、床面の耐荷重性を飛躍的に向上させることができるという効果を有する。
【００４５】
また、面状構造体５３を構成する平板部５３ａと突状帯５３ｂの内部断面に多数の空隙５３ｃを形成することで、床材９ａ，９ｂの断熱性を高めると同時に、床材９ａ，９ｂを軽量化できるという効果が期待できる。
さらに、上述のような床材９ａ，９ｂによれば、図７にも示すように、突状帯５３ｂと突状帯５３ｂの間に配管５８ａ，５８ｂや図示しない配線を収容することができるので、組立式簡易住宅１の床面の機能性を高めることができるという効果が期待できる。
なお、図７には示さないが、床材９ｂの下面側には、外部の給水設備から組立式簡易住宅１への水の供給を可能にする給水用バルブが設けられている。よって、たとえば被災地において外部の給水設備が、つまり水道が復旧した場合に、水道から供給される水を、床材９ｂの下面に設けられる給水用バルブを介して組立式簡易住宅１の内部の給水設備４４ａ，４４ｂへと送給することができるという効果を有する。
つまり、床材９ｂの下面に設けられる給水用バルブは本実施の形態に係る組立式簡易住宅１と外部のライフラインとの接続を可能にし、組立式簡易住宅１を一時的な避難設備としてだけでなく、人が中長期間居住することができる仮設住宅としても使用可能にするという効果を有する。
また、図７に示すように、面状構造体５３の突状帯５３ｂ，５３ｂの間に断熱材５４を収容してもよい。この場合、床材９ａ，９ｂの断熱効果を一層高めることができるので、組立式簡易住宅１による居住を快適にすると同時に、冷暖房に係るコストを節約できるという効果を有する。
また、平板材５５の上面側には図示しないが、例えば、フローリング材を敷設してもよい。この場合、組立式簡易住宅１に係る床面の汚れを防止できると同時に、組立式簡易住宅１の内部の美観を向上させることができるので、組立式簡易住宅１における居住を一層快適にすることができるという効果を有する。
【００４６】
なお、本実施の形態に係る組立式簡易住宅１に係る、屋根部３を構成する被覆材３ｂ及び壁材５，壁材１４，壁材１７のそれぞれには、例えば、金属製あるいは合成樹脂製の２枚の薄板の間に、発泡ウレタン等の断熱材を充填したパネル材を用いてもよい。
この場合、被覆材３ｂ及び壁材５，壁材１４，壁材１７と、上述のような床材９ａ，９ｂとを併用することで、組立式簡易住宅１を軽量でかつ優れた断熱効果を有する建物にすることができるという効果を有する。
この結果、被災者に快適な住空間を提供することができるという優れた効果が発揮されるのである。
以上説明したように、本実施の形態に係る組立式簡易住宅１によれば、不使用時には外形寸法が組立時の１／２以下となるよう変形させることができると同時に、複数の組立式簡易住宅１を積層した状態で保管や搬送することができ、また、人が中長期間居住するために必要な設備として、キッチンとシャワールームとトイレと居間兼寝室の全てを備えて最大４名の人員を収容することができ、さらに、最大２名の人員とユニック等により容易に組立てることが可能であり、しかも、断熱性に優れ、軽量で十分な強度を備えた簡易住宅を提供できるという優れた効果を有する。
また、本実施の形態に係る組立式簡易住宅１があれば、水を準備するだけで、ライフラインが機能しない被災地に快適な住空間を提供できるという効果を発揮する。そして、ライフラインが復旧した後は、本実施の形態に係る組立式簡易住宅１とライフラインとを接続することで、被災地が復興するまでの中長期間、組立式簡易住宅１を仮設住宅として使用することができるという効果を発揮する。
つまり、本実施の形態に係る組立式簡易住宅１によれば、被災者に対して迅速に緊急避難用設備兼仮設住宅を提供できるという効果を有するのである。
【産業上の利用可能性】
【００４７】
本発明に係る組立式簡易住宅は、不使用時には分解してコンパクトに収納することができると同時に組立及び搬送容易であり、中長期間の人が居住する場合でも十分な強度と耐久性を備え、しかも、居住するのに最低限必要な設備を備えるものであり、非常用設備や仮設住宅に関する分野において利用の可能性が高い。
【図面の簡単な説明】
【００４８】
【図１】本発明の実施の形態に係る組立式簡易住宅の分解時の様子を示す概念図である。
【図２】（ａ），（ｂ）はいずれも本実施の形態に係る組立式簡易住宅の柱材の構造を示す概念図である。
【図３】本発明の実施の形態に係る組立式簡易住宅の収納時の様子を示す概念図である。
【図４】本発明の実施の形態に係る第３の箱体内に室内に設置する設備を収容した際の内部の様子を示す平面図である。
【図５】本発明の実施の形態に係る組立式簡易住宅の完成時の外観図である。
【図６】本発明の実施の形態に係る組立式簡易住宅の完成時の内部の様子を示す見取図である。
【図７】本発明の実施の形態に係る組立式簡易住宅の床面の構造の一例を示す概念図である。
【符号の説明】
【００４９】
１…組立式簡易住宅  ２…第１の箱体  ３…屋根部  ３ａ…横架材  ３ｂ…被覆材  ４ａ…柱材  ４ｂ…横架材  ５…壁材（側面）  ６…第２の箱体  ７…枢軸部  ８…横架材  ９ａ，９ｂ…床材（床面）  １０…突部  １１…柱材  １２…天井（上面）  １３…横架材  １４…壁材（側面）  １５…柱材  １６…柱材  １７…壁材（側部）  １８…出入口（ドア）  １９ａ〜１９ｄ…窓  ２０…通気孔  ２１…窪部  ２２…窪部  ２３…連結材（筋交い）  ２４…筋交い  ２５…庇  ２６…支持部  ２７…車輪  ２８…高さ調整部  ２９…第３の箱体  ３０ａ〜３０ｄ…間仕切りパネル  ３１…１槽シンク  ３２ａ〜３２ｄ…ベッド  ３３…テーブル  ３４…レンジフード  ３５…コンロ台  ３６…シャワーカーテン（カーテンレール共）  ３７…吊戸棚  ３８…防水パン  ３９…ポータブルトイレ  ４０…換気扇  ４１ａ，４１ｂ…収納箱  ４２…外灯  ４３…消火器  ４４ａ，４４ｂ…給水設備  ４５ａ〜４５ｃ…フレーム材  ４６…溝部  ４７…ガイド  ４８…挿入部  ４９…孔  ５０…孔  ５１…固定ピン  ５２ａ，５２ｂ…平板材  ５３…面状構造体  ５３ａ…平板部  ５３ｂ…突状帯  ５３ｃ…空隙  ５４…断熱材  ５５…平板材  ５６…被覆材  ５７…物干し竿  ５８ａ，５８ｂ…配管  ５９…帯板  ６０…軒樋  ６１…導出管  ６２…物干し受  ６３…ブレーカー
【図１】
2008184801.tif 000003
【図２】
2008184801.tif 000004
【図３】
2008184801.tif 000005
【図４】
2008184801.tif 000006
【図５】
2008184801.tif 000007
【図６】
2008184801.tif 000008
【図７】
2008184801.tif 000009